(57)【特許請求の範囲】
【請求項１】
バイブレーター機構を内蔵する主杵の上方部に、副杵の操作により合掌状に開閉可能とされる一対の挟持片よりなる挟持部を配置した携帯用小型マッサージ機であって、
Ｌ字状あるいはＣ字状に湾曲された一対の挟持片は、その元部において交又されて互いに開閉自在に連結されると共に、一方の挟持片の元部の下部側が筒状主杵の上部に固着されて筒状主杵のほぼ垂直方向に直接的に支持され、筒状主杵には、付勢力をもって開閉自在とされその開閉動作によって挟持部の他方の挟持片を開閉動作する副杵が具備されると共に、その下端部には湾曲状の押圧部が付設され、一対の挟持片のそれぞれの内側には、枢着部により回動可能に支持されるローラが取付けられると共に、一対の挟持片の開閉に伴ってローラ同士の間隔が拡閉され、且つ、それぞれのローラより突出する両枢着部の先端には挟持片の閉時に互いに付き合わされる凸部を有することを特徴とする携帯用小型マッサージ機。
【請求項２】
マッサージ機を構成する各部の所望部には、磁性体，チタン，銀，トルマリンから選ばれる１種又は２種以上を適宜選択して付設することを特徴とする請求項１記載の携帯用小
型マッサージ機。
【発明の詳細な説明】
【０００１】
【技術分野】
この発明は、手に持って手軽に様々なマッサージ効果を得ることができる携帯用小型マッサージ機に関するものである。
【０００２】
【背景技術】
周知のように、ビジネスにおける緊張の緩和やスポーツ等の後の疲労回復、あるいは健康面への配慮等から、特開２００１−１４５６７８号公報，特開２００１−３１４４６８号公報，特開２００２−１７７３５７号公報等のような各種のマッサージ機が提案されている。このようなマッサージ機は、大型で本格的なマッサージ機と個人が手軽に使用するマッサージ機とに大別される。
【０００３】
個人が手軽に使用するマッサージ機は、室内設置型と携帯可能型のものとがあるが、いずれにせよ大型で本格的なマッサージ機であれ個人が手軽に使用するマッサージ機であれ、マッサージの基本機能は、撫でる，揉む，押す，振動を与えるの４大機能にある。その他、近年は磁力の活用やマイナスイオンの活用あるいは抗菌作用等の活用も普及してきている。
【０００４】
【発明が解決しようとする課題】
このような観点から見ると、従来より様々なマッサージ機が提案されているが、個人の室内は勿論のことさらに環境変化の著しい航空機内等に配備し、個人が手軽に使用することができ携帯に便利な小型のマッサージ機において、マッサージの基本４大機能を併せ持った使い勝手のよいもの、さらに磁力やマイナスイオン，抗菌作用等を有効に組み合わせたものは提案されておらない。
【０００５】
この発明は、上記のような事情を鑑みてなされたものであり、撫でる，揉む，押す，振動を与える等のマッサージの基本４大機能を各個別に、又は、各個別の機能をそれぞれ組み合わせて与えることが可能な携帯用小型マッサージ機の提供をその目的とする。
【０００６】
【課題を解決するための手段】
この発明は、上記のような目的を達成するために、請求項１記載のように、バイブレーター機構を内蔵する主杵の上方部に、副杵の操作により合掌状に開閉可能とされる一対の挟持片よりなる挟持部を配置した携帯用小型マッサージ機であって、Ｌ字状あるいはＣ字状に湾曲された一対の挟持片は、その元部において交又されて互いに開閉自在に連結されると共に、一方の挟持片の元部の下部側が筒状主杵の上部に固着されて筒状主杵のほぼ垂直方向に直接的に支持され、筒状主杵には、付勢力をもって開閉自在とされその開閉動作によって挟持部の他方の挟持片を開閉動作する副杵が具備されると共に、その下端部には湾曲状の押圧部が付設され、一対の挟持片のそれぞれの内側には、枢着部により回動可能に支持されるローラが取付けられると共に、一対の挟持片の開閉に伴ってローラ同士の間隔が拡閉され、且つ、それぞれのローラより突出する両枢着部の先端には挟持片の閉時に互いに付き合わされる凸部を有することを特徴とする。
【０００７】
また、請求項２記載のように、マッサージ機を構成する各部の所望部には、磁性体，チタン，銀，トルマリンから選ばれる１種又は２種以上を適宜選択して付設することを特徴とする。
【０００８】
【発明を実施するための最良の形態】
以下、この発明の実施例を図面に基づき詳細に説明する。図１は、この発明に係る携帯用小型マッサージ機の外観を示す説明図であり、図２は、挟持部の開閉状態を示す説明図である。
【０００９】
図１に示すように、バイブレーター機構１３を内蔵する主杵１と、その上方部に配置され互いに開閉動作される一対の挟持片４，５よりなる挟持部４５と、主杵１に対する開閉動作により一対の挟持片４，５を合掌状に開閉可能とする副杵６と、上記一対の挟持片４，５のそれぞれに回転可能に取付けられ互いに近接離反されるローラ７，７とにより構成されている。
【００１０】
主杵１は、中空筒体により形成され、図３に示すように、内部に内蔵される電源１４と、この電源１４により駆動されるバイブレーター機構１３を内蔵している。バイブレーター機構１３は、各種の技術分野で周知であり、所望により適宜設計変更が可能でこの発明の要旨とは直接的に関係しないため、その機構の詳細な説明は省略をする。また、この主杵１の中央部には、バイブレーター機構のＯＮ／ＯＦＦ及び段階的にその動作を調整するスイッチ部２が設けられている。
【００１１】
さらに、主杵１の上方部には、その下方部を緩やかな傾斜部とした後、垂直に折曲された垂下部４ａとされたＬ字状の挟持片４が、その垂下部４ａを介して一体的に固着されている。また、主杵１の下端部には、ツボを押せる湾曲状の押圧部３が設けられている。なお、この挟持片４は上記の形状に限定されることなく、例えばＣ字状に湾曲されたものでもよい。
【００１２】
そして、この挟持片４には、同形状の挟持片５が互いに一対の挟持片として合掌状に開閉可能とされるように取付けられている。すなわち、挟持片５はその元部において主杵１に固着されている挟持片４の元部と交叉され、枢着部１０により回動自在に連結されている。
【００１３】
また、挟持片５の下端部は斜めにやや長く延設され、その下端側５ａにおいて主杵１に対しバネ体１３の付勢力をもって開閉自在とされる副杵６が固着されている。この副杵６は指先で操作しやすいように波状のグリップ部として形成してもよい。１２は副杵６を掛り止めるストッパーである。
【００１４】
挟持部４５は、上記した一方の挟持片４，５により構成されるのであるが、それぞれの挟持片４，５には枢着部８，８を介してローラ７，７が回動可能に取付けられている。このローラ７，７は円筒状に形成されており、その中心線上において挟持片４，５と枢着部８，８を介して取付けられ、互いに接合される円筒面側にはさらに湾曲された凸部９，９が突設されている。
【００１５】
次に、この実施例の動作を説明する。まず、主杵１におけるバイブレーションの動作の前の静止状態において、ローラ７，７の外周面を腕や顔等に当て擦るとローラ７，７が回転し、回転する外周面によりその部分を撫でることができる。また、副杵６を操作して一対の挟持片４，５を開きその間に指の付け根等を挟み込み、さらに副杵６を主杵１に対して開閉させると、凸部９，９によりその部分を揉んだり押したりすることができる。また、主杵１の下端部の押圧部３を当てがい当てがった部分を押したりすることができる。
【００１６】
一方、主杵１におけるバイブレーションの動作を行なえば、主杵１により振動作用を得ることができる。この際、マッサージ機は単に振動作用を得るだけでなく、振動作用と共に上記した撫でる，揉む，押す等の各作用を組み合わせて発揮することができる。
【００１７】
このように、この実施例によれば、携帯用で小型のマッサージ機であっても、撫でる，揉む，押す，振動を与える等マッサージの基本４大機能を各個別に与えることができると共に、各個別の機能をそれぞれ組み合わせて与えることが可能となり、手に持って手軽でありながら様々な優れたマッサージ効果を与えることができる。
【００１８】
次に、この発明における他の実施例を説明する。まず、主杵１の下端部の湾曲状の押圧部３，ローラ７，凸部９は磁性体，銀，チタン，トルマリン等を添着させることできる（３ａ，７ａ，９ａ）。磁性を付与した場合には、上記したマッサージ効果に加えて、さらに磁石は磁力を放出する際に微弱電流を発生し、その剰激により筋肉組織の血行を改善するため、緊張し硬くなった筋肉を解きほぐし元の柔らかい状態に戻す等の効果を加えて得ることができる。
【００１９】
また、銀を添着した場合には、放出する銀イオン（Ｐａｇ＝電気的負荷）が病原菌生育機能を除去するため、ほとんどの細菌を副作用なしで殺菌することができる。また、チタンを添着した場合には、チタンは細胞の（＋と−）電気バランスの崩れ、生態電流の乱れを整えるため、性能適合性と共に光抗菌作用を加えて奏することができる。
【００２０】
また、トルマリンを添着した場合には、トルマリンがマイナスイオンを発生するため、保温や摩擦による体内外のイオンバランスを調整し気分を解すと共に、精神を安定させて細胞を活性化させリフレッシュさせるなどの効果を加えて得られる。
【００２１】
磁性体，チタン，銀，トルマリン等の添着はマッサージ機を構成する各部の所望の部分の１箇所に所望の１種を添着してもよいし、２種以上を適宜選択して付設してもよい。また、図示したものはこのマッサージ機の１例であり、上記した作用を奏するものであれば適宜設計変更が可能である。
【００２２】
【発明の効果】
以上説明したように、請求項１に記載の発明によれば、バイブレーション作用とローラ作用と挟持押圧作用とを各個別に、又は、各個別の作用をそれぞれ組み合わせて与えることができ、携帯に便利で、撫でる，揉む，押す，振動を与える等マッサージの基本４大機能を併せ持った使い勝手のよいマッサージを提供することができる。
さらに、請求項２に記載の発明によれば、上記効果に加えて磁力やマイナスイオン，抗菌作用等を有効に組み合わせたマッサージを提供することができる。
【図面の簡単な説明】
【図１】この発明に係る携帯用小型マッサージ機の外観を示す説明図である。
【図２】挟持部の開閉状態を示す説明図である。
【図３】この発明に係る携帯用小型マッサージ機の内部構造を示す説明図である。
【符号の説明】
１      主杵
２      スイッチ部
３      押圧部
４，５  挟持片
６      副杵
７      ローラ
９      凸部
４５    挟持部
【要約】【課題】撫でる，揉む，押す，振動を与える等のマッサージの基本４大機能を各個別に、又は、各個別の機能をそれぞれ組み合わせて与える。
【解決手段】バイブレーター機構１３を内蔵する主杵１の上方部に、副杵６の操作により合掌状に開閉可能とされる一対の挟持片４，５よりなる挟持部４５を配置し、上記一対の挟持片４，５のそれぞれには互いに接合される凸部９，９を有する一対のローラ７，７を回転可能に取付け、患部に対するバイブレーション作用とローラ作用と挟持押圧作用とを各個別に、又は、上記各個別の作用をそれぞれ組み合わせて与えることを可能とする。
【選択図】  図１【図１】
0003549022.tif 000002
【図２】
0003549022.tif 000003
【図３】
0003549022.tif 000004